(57)【要約】  本発明は、既存のモバイル電力供給端末が始動モードのみにおいて外部に電力を供給することができることに起因する、停止状態から外部電力供給までの長い準備時間、および電力供給中のモバイル電力供給端末の大きい電力消費量などの問題を解決するために設計された、モバイル電力供給端末およびその電力供給方法を開示する。このモバイル電力供給端末のために、従来のデバイスにトリガ回路および制御回路が追加される。モバイル端末に、充電されるべきデバイスが接続された後に、電力供給インターフェースの一方の端部がレベル信号を生成し、このレベル信号は、トリガ回路にトリガ信号を生成させ、次いで、制御回路は、トリガ信号に従って、電力供給モードに入るようにモバイル電力供給端末を制御し、電力供給インターフェースを使用することによって、充電されるべきデバイスを充電するように電力供給源を制御する。本発明におけるモバイル電力供給端末およびその電力供給方法は、単純なハードウェア構造、および容易な実装、および短い充電準備時間を特徴とし、それらは、電力供給源の待機持続時間および耐用寿命を長くするためにも有益である。
2016521955.tif 000002
【特許請求の範囲】
【請求項１】
電力供給源と、制御回路と、電力供給インターフェースと、トリガ回路とを備える、モバイル電力供給端末であって、前記電力供給源が、前記電力供給インターフェースと前記制御回路とに別々に接続され、
前記電力供給インターフェースの一方の端部が、前記トリガ回路と前記制御回路とに別々に接続され、他方の端部が、充電されるべきデバイスの充電インターフェースに接続され、
前記充電されるべきデバイスは、前記電力供給インターフェースの一方の端部がレベル信号を生成するように、前記電力供給インターフェースを使用することによって前記モバイル電力供給端末に接続され、前記トリガ回路が、前記レベル信号に従ってトリガ信号を生成し、前記トリガ信号を前記制御回路に送り、
前記制御回路は、前記トリガ信号に従って、電力供給モードに入るように前記モバイル電力供給端末を制御し、前記電力供給インターフェースを使用することによって前記充電されるべきデバイスに電力を供給するように前記電力供給源を制御し、前記電力供給モードにおける前記制御回路は、前記充電されるべきデバイスに電力を供給するように前記電力供給源を制御するようにのみ構成される、
モバイル電力供給端末。
【請求項２】
前記制御回路は、前記トリガ信号を受信し、ユーザ選択または指定されたコマンドに従って、通信モジュールおよび／またはディスプレイをオフにするように前記モバイル電力供給端末を制御するようにさらに構成される、請求項1に記載のモバイル電力供給端末。
【請求項３】
前記制御回路は、前記充電されるべきデバイスから前記充電インターフェースが分離された後に、ユーザによって選択された制御命令または指定された命令に従って、停止モードに入るように前記モバイル電力供給端末を制御するようにさらに構成される、請求項1または2に記載のモバイル電力供給端末。
【請求項４】
前記制御回路が、コントローラと、電力オフなし停止電力源と、被制御スイッチとを備え、
前記コントローラのターンオン信号入力端部が前記電力オフなし停止電力源に接続され、
前記被制御スイッチの入力端部が前記電力オフなし停止電力源に接続され、制御端部が前記トリガ回路の出力端部に接続され、出力端部が接地され、
前記被制御スイッチの前記制御端部が前記トリガ信号を受信した後に、前記被制御スイッチの前記入力端部と前記出力端部とは、前記コントローラの前記ターンオン信号入力端部の電気的レベルがプルダウンされるように、互いに伝導され、
前記コントローラは、前記ターンオン信号入力端部の前記電気的レベルがプルダウンされた後に、前記電力供給モードに入るように前記モバイル電力供給端末を制御し、前記電力供給インターフェースを使用することによって前記充電されるべきデバイスに電力を供給するように前記電力供給源を制御するように構成される、
請求項1から3のいずれか一項に記載のモバイル電力供給端末。
【請求項５】
前記電力供給源と前記電力供給インターフェースとの間にトランスフォーマが配設され、
前記トランスフォーマのイネーブル端部は、前記コントローラに接続され、電力供給制御信号を受信し、前記電力供給源と前記電力供給インターフェースとの間の経路を形成するために前記電力供給制御信号に従って前記トランスフォーマをオンにするように構成され、前記電力供給制御信号は、前記トリガ信号に従って前記コントローラによって生成され、前記トランスフォーマに出力される、
請求項4に記載のモバイル電力供給端末。
【請求項６】
モバイル電力供給端末の電力供給インターフェースの一方の端部がレベル信号を生成するように、前記電力供給インターフェースを使用することによって、前記モバイル電力供給端末に、充電されるべきデバイスを接続するステップと、
前記モバイル電力供給端末のトリガ回路によって、前記レベル信号に従ってトリガ信号を生成するステップと、前記トリガ信号を前記モバイル電力供給端末の制御回路に送るステップと、
前記トリガ信号に従って前記制御回路によって、電力供給モードに入るように前記モバイル電力供給端末を制御するステップと、それにより、前記電力供給インターフェースを使用することによって前記充電されるべきデバイスに電力を供給するように電力供給源を制御するステップにおいて、前記電力供給モードにおける前記制御回路が、前記充電されるべきデバイスに電力を供給するように前記電力供給源を制御するようにのみ構成される、制御するステップと
を含む、モバイル電力供給端末の電力供給方法。
【請求項７】
前記トリガ信号に従って前記制御回路によって、電力供給モードに入るように前記モバイル電力供給端末を制御する前記ステップと、それにより、前記電力供給インターフェースを使用することによって前記充電されるべきデバイスに電力を供給するように前記電力供給源を制御する前記ステップとは、
前記制御回路の被制御スイッチの入力端部と出力端部とが互いに伝導されるように、前記被制御スイッチの制御端部に前記トリガ信号を入力するステップにおいて、前記被制御スイッチの前記入力端部が電力オフなし停止電力源に接続され、前記出力端部が接地される、入力するステップと、
前記電力オフなし停止電力源に接続された前記制御回路のコントローラのターンオン信号入力端部の電気的レベルをプルダウンするステップと、
前記ターンオン信号入力端部の前記電気的レベルがプルダウンされた後に、前記コントローラによって、前記電力供給モードに入るように前記モバイル電力供給端末を制御するステップと、前記電力供給インターフェースを使用することによって前記充電されるべきデバイスに電力を供給するように前記電力供給源を制御するステップと
を特に含む、請求項6に記載のモバイル電力供給端末の電力供給方法。
【請求項８】
前記電力供給インターフェースを使用することによって前記充電されるべきデバイスに電力を供給するように前記電力供給源を制御する前記ステップは、
前記ターンオン信号入力端部の前記電気的レベルがプルダウンされた後に、前記コントローラによって、電力供給制御信号を生成するステップと、
前記電力供給源と前記電力供給インターフェースとの間に接続されたトランスフォーマのイネーブル端部によって、前記制御信号を受信するステップと、前記電力供給源と前記電力供給インターフェースとの間の経路を形成するために、前記制御信号に従って前記トランスフォーマをオンにするステップと、
前記トランスフォーマと前記電力供給インターフェースとを使用することによって、前記電力供給源によって前記充電されるべきデバイスに電力を供給するステップと
を特に含む、請求項7に記載のモバイル電力供給端末の電力供給方法。
【請求項９】
前記制御回路によって、前記トリガ信号を受信するステップと、ユーザ選択または指定されたコマンドに従って、通信モジュールおよび／またはディスプレイをオフにするように前記モバイル電力供給端末を制御するステップと
をさらに含む、請求項6から8のいずれか一項に記載のモバイル電力供給端末の電力供給方法。
【請求項１０】
前記モバイル電力供給端末から前記充電されるべきデバイスを分離するステップと、
ユーザによって選択された制御命令または指定された命令に従って前記制御回路によって、停止モードに入るように前記モバイル電力供給端末を制御するステップと
をさらに含む、請求項6から9のいずれか一項に記載のモバイル電力供給端末の電力供給方法。
【発明の詳細な説明】
【技術分野】
【０００１】
本出願は、その全体が参照により本明細書に組み込まれる、2013年8月27日に中国特許庁で出願され「モバイル電力供給端末およびその電力供給方法」と題する、中国特許出願第CN201310379511.4号の優先権を主張する。
【０００２】
本発明は、モバイル電力供給端末からの電力供給の分野に関し、詳細には、モバイル電力供給端末およびその電力供給方法に関する。
【背景技術】
【０００３】
現在、通信技術の開発とともに、モバイルフォン、モバイルブロードバンドルータ、またはタブレットコンピュータなどのモバイル端末のバッテリーレベルがより高くなっており、モバイルフォンおよびモバイルブロードバンドルータのバッテリー容量は3000mAhを超え、タブレットコンピュータのバッテリー容量は6000mAhを超え、そのため、モバイル端末は、別のデバイスに電力を供給するためのモバイル電力供給源として使用されることが可能になる。既存のモバイル端末デバイスが停止された後に、充電されるべきデバイスが充電される必要がある場合、モバイル電力供給端末に、充電されるべきデバイスに電力を供給させるために、以下の2つの方法のうちのいずれかが選択され得る。
【０００４】
第1の方法は以下の通りである。ユーザがモバイルデバイスを手動でオンにし、オンになった後に、デバイスは、端末のマンマシンインターフェースを使用することによって、外部に電力を供給するように端末をトリガするように構成される。
【０００５】
第2の方法は以下の通りである。ユーザがモバイルデバイスを手動でオンにし、モバイルデバイスがオンにされた後に、充電されるべきデバイスの充電インターフェースの接地点がモバイルデバイスの電力供給トリガ端部の電気的レベルをプルダウンし、それにより、モバイルデバイスは外部に電力を供給するようにトリガされる。
【０００６】
端末の停止モードにおいて、充電されるべきデバイスを充電するために上記の2つの方法が使用されたとき、以下の問題が存在する。
【０００７】
1：モバイル電力供給端末は、最初に、通常のターンオンモードに従って完全にオンにされる必要がある。始動時間は長く、モバイル電力供給端末は高速に充電され得ない。
【０００８】
2：モバイル電力供給端末は通常のターンオンモードに従って完全にオンにされ、モバイル電力供給端末の、多くの電力を消費する機能モジュールがオンにされる。例えば、モバイル端末がタブレットコンピュータであるときは、タブレットコンピュータが完全に開始された後に、少なくとも、バックライト、ディスプレイスクリーン、ネットワークインターフェースカード、およびファイアウォールなどの機能が使用可能にされる。別の例では、モバイル端末がモバイルフォンであるときは、モバイルフォンがオンにされた後に、通信機能モジュールが自動的にオンにされる。これらのハードウェアまたはソフトウェアモジュールはすべてエネルギーを消費するモジュールであるので、端末が外部デバイスを充電するとき、端末は大きい電力消費量を有する。したがって、エネルギー消費量が大きい。
【０００９】
3：モバイル端末は、通常にオンにされた後に完全なターンオン状態にあり、外部デバイスを充電し、また、それ自体で電気を消費し、それは、電力供給源における大きい電流と、バッテリーの高い温度とを引き起こす。これが長時間持続した場合、バッテリーの短い寿命および乏しい安定性などの問題が生じ得る。
【００１０】
さらに、始動状態において、モバイル端末は、外部に電力を供給し、また、別の機能モジュール、例えば、通信ユニットまたはビデオディスプレイ機能ユニットなど、電力供給以外の機能を実装するための機能ユニットをオンにし、それにより、電力供給源における大きい電流と、不安定な電力供給とが生じる。電力供給が要件を満たし、別の通信機能における通信データサービスが限定されないことが保証されなければならない。
【発明の概要】
【００１１】
本発明の実施形態は、既存のモバイル電力供給デバイスが停止モードから電力供給モードに切り替わるための長い時間に起因する、電力供給源の不安定な電流、および短い耐用寿命、ならびに外部電力供給中のモバイル電力供給端末の別の機能ユニットの大きい電気消費量などの問題を解決するために設計された、モバイル電力供給端末およびその電力供給方法を提供する。
【課題を解決するための手段】
【００１２】
上記の技術的問題を解決するために、本発明の実施形態は以下の技術的解決策を開示する。
【００１３】
第1の態様によれば、モバイル電力供給端末が提供され、モバイル電力供給端末は、電力供給源と、制御回路と、電力供給インターフェースと、トリガ回路とを含み、電力供給源は、電力供給インターフェースと制御回路とに別々に接続され、
電力供給インターフェースの一方の端部は、トリガ回路と制御回路とに別々に接続され、他方の端部は、充電されるべきデバイスの充電インターフェースに接続されるように構成され、
充電されるべきデバイスは、電力供給インターフェースの一方の端部がレベル信号を生成するように、電力供給インターフェースを使用することによってモバイル電力供給端末に接続され、トリガ回路は、レベル信号に従ってトリガ信号を生成し、トリガ信号を制御回路に送り、
制御回路は、トリガ信号に従って、電力供給モードに入るようにモバイル電力供給端末を制御し、電力供給インターフェースを使用することによって、充電されるべきデバイスに電力を供給するように電力供給源を制御し、電力供給モードにおける制御回路は、充電されるべきデバイスに電力を供給するように電力供給源を制御するようにのみ構成される。
【００１４】
第1の態様の第1の実装解決策では、制御回路は、コントローラと、電力オフなし停止電力源と、被制御スイッチとを含み、
コントローラのターンオン信号入力端部は電力オフなし停止電力源に接続され、
被制御スイッチの入力端部は電力オフなし停止電力源に接続され、制御端部はトリガ回路の出力端部に接続され、出力端部は接地され、
被制御スイッチの制御端部がトリガ信号を受信した後に、被制御スイッチの入力端部と出力端部とは、コントローラのターンオン信号入力端部の電気的レベルがプルダウンされるように、互いに伝導され、
コントローラは、ターンオン信号入力端部の電気的レベルがプルダウンされた後に、電力供給モードに入るようにモバイル電力供給端末を制御し、電力供給インターフェースを使用することによって、充電されるべきデバイスに電力を供給するように電力供給源を制御するように構成される。
【００１５】
第1の態様の第2の実装解決策では、電力供給源と電力供給インターフェースとの間にトランスフォーマが配設され、
トランスフォーマのイネーブル端部は、コントローラに接続され、電力供給制御信号を受信し、電力供給源と電力供給インターフェースとの間の経路を形成するために電力供給制御信号に従ってトランスフォーマをオンにするように構成され、電力供給制御信号は、トリガ信号に従ってコントローラによって生成され、トランスフォーマに出力される。
【００１６】
第1の態様の第3の実装解決策では、制御回路は、トリガ信号を受信し、ユーザ選択または指定されたコマンドに従って、通信モジュールおよび／またはディスプレイをオフにするようにモバイル電力供給端末を制御するようにさらに構成される。
【００１７】
第1の態様の第4の実装解決策では、制御回路は、充電されるべきデバイスから充電インターフェースが分離された後に、ユーザによって選択された制御命令または指定された命令に従って、停止モードに入るようにモバイル電力供給端末を制御するようにさらに構成される。
【００１８】
第2の態様によれば、モバイル電力供給端末の電力供給方法が提供され、モバイル電力供給端末の電力供給方法は、
モバイル電力供給端末の電力供給インターフェースの一方の端部がレベル信号を生成するように、電力供給インターフェースを使用することによって、モバイル電力供給端末に、充電されるべきデバイスを接続するステップと、
モバイル電力供給端末のトリガ回路によって、レベル信号に従ってトリガ信号を生成するステップと、トリガ信号をモバイル電力供給端末の制御回路に送るステップと、
トリガ信号に従って制御回路によって、電力供給モードに入るようにモバイル電力供給端末を制御するステップと、電力供給インターフェースを使用することによって、充電されるべきデバイスに電力を供給するように電力供給源を制御するステップと
を含み、
電力供給モードにおける制御回路は、充電されるべきデバイスに電力を供給するように電力供給源を制御するようにのみ構成される。
【００１９】
第2の態様の第1の実装解決策では、トリガ信号に従って制御回路によって、電力供給モードに入るようにモバイル電力供給端末を制御するステップと、電力供給インターフェースを使用することによって、充電されるべきデバイスに電力を供給するように電力供給源を制御するステップとは、
制御回路の被制御スイッチの入力端部と出力端部とが互いに伝導されるように、被制御スイッチの制御端部にトリガ信号を入力するステップにおいて、被制御スイッチの入力端部が電力オフなし停止電力源に接続され、出力端部が接地される、入力するステップと、
電力オフなし停止電力源に接続された制御回路のコントローラのターンオン信号入力端部の電気的レベルをプルダウンするステップと、
ターンオン信号入力端部の電気的レベルがプルダウンされた後に、コントローラによって、電力供給モードに入るようにモバイル電力供給端末を制御するステップと、電力供給インターフェースを使用することによって、充電されるべきデバイスに電力を供給するように電力供給源を制御するステップと
を特に含む。
【００２０】
第2の態様の第2の実装解決策では、電力供給インターフェースを使用することによって、充電されるべきデバイスに電力を供給するように電力供給源を制御するステップは、
ターンオン信号入力端部の電気的レベルがプルダウンされた後に、コントローラによって、電力供給制御信号を生成するステップと、
電力供給源と電力供給インターフェースとの間に接続されたトランスフォーマのイネーブル端部によって、制御信号を受信するステップと、電力供給源と電力供給インターフェースとの間の経路を形成するために、制御信号に従ってトランスフォーマをオンにするステップと、
トランスフォーマと電力供給インターフェースとを使用することによって、電力供給源によって、充電されるべきデバイスに電力を供給するステップと
を特に含む。
【００２１】
第2の態様の第3の実装解決策では、本方法は、
制御回路によって、トリガ信号を受信するステップと、ユーザ選択または指定されたコマンドに従って、通信モジュールおよび／またはディスプレイをオフにするようにモバイル電力供給端末を制御するステップと
をさらに含む。
【００２２】
第2の態様の第4の実装解決策では、本方法は、
モバイル電力供給端末から、充電されるべきデバイスを分離するステップと、
ユーザによって選択された制御命令または指定された命令に従って制御回路によって、停止モードに入るようにモバイル電力供給端末を制御するステップとをさらに含む。本発明の実施形態では、電力供給インターフェースの第1のピンが、充電されるべきデバイスまたは充電結合線の接地点に接続されたとき、トリガ回路がトリガ信号を生成して、このトリガ信号がコントローラをオンにし、次いで、コントローラが制御信号を生成し、この制御信号が、外部に電力を供給するように電力供給源および電力供給インターフェースを指揮するように、モバイル電力供給端末にトリガ回路が追加され、これは上記の利点を有する。
【００２３】
電力を供給するために本発明の実施形態のモバイル電力供給端末が使用されるとき、モバイル電力供給端末の停止状態において、充電されるべきデバイスがモバイル電力供給端末の電力供給インターフェースに接続された後に、モバイル電力供給端末は、電力供給モードに入るように直接トリガされ、電力供給制御ユニットなど、電力供給に関係するハードウェアおよびアプリケーションプログラムのみがオンにされる。このように、ユーザは、通常の手順に従ってモバイル電力供給端末を手動でオンにする必要がなく、これにより、充電されるべきデバイスを充電するための動作が可能になり、そのデバイスを充電するための準備時間が短縮される。
【００２４】
本発明の実施形態または従来技術における技術的解決策についてより明らかに説明するために、以下で、本実施形態または従来技術について説明するために必要とされる添付の図面を手短に紹介する。明らかに、以下の説明における添付の図面は本発明のいくつかの実施形態を示すものであり、当業者なら、創造的な取り組みなしにこれらの添付の図面から他の図面をさらに導出するであろう。
【図面の簡単な説明】
【００２５】
【図１】本発明の一実施形態によるモバイル電力供給端末の概略構造図である。
【図２】本発明の一実施形態によるモバイル電力供給端末の概略構造図である。
【図３】本発明の一実施形態によるモバイル電力供給端末の概略構造図である。
【図４】本発明の一実施形態による、モバイル電力供給端末からの電力供給の概略フローチャートである。
【発明を実施するための形態】
【００２６】
本発明の実施形態の目的、技術的解決策、および利点をより明らかにするために、以下で、本発明の実施形態における添付の図面を参照しながら、本発明の実施形態における技術的解決策について明確に説明する。明らかに、説明する実施形態は、本発明の実施形態のすべてではなく一部である。創造的な取り組みなしに本発明の実施形態に基づいて当業者によって取得されるすべての他の実施形態は、本発明の保護範囲内に入る。
【００２７】
以下で、添付の図面および実施形態を参照しながら本発明の特定の実施形態について詳細にさらに説明する。以下の実施形態は、本発明について説明するために使用されるものであるが、本発明の範囲を限定するためには使用されない。
【００２８】
実施形態1
図1に示されているように、この実施形態は、電力供給源120と、制御回路140と、電力供給インターフェース110とトリガ回路130とを含む、モバイル電力供給端末100を提供し、電力供給源120は、電力供給インターフェース110と制御回路140とに別々に接続され、
電力供給インターフェース110の一方の端部は、トリガ回路130と制御回路140とに別々に接続され、他方の端部は、充電されるべきデバイスの充電インターフェース110に接続されるように構成され、
充電されるべきデバイスは、電力供給インターフェース110の一方の端部がレベル信号を生成するように、電力供給インターフェース110を使用することによってモバイル電力供給端末100に接続され、トリガ回路130は、レベル信号に従ってトリガ信号を生成し、トリガ信号を制御回路140に送り、
制御回路140は、トリガ信号に従って、電力供給モードに入るようにモバイル電力供給端末を制御し、電力供給インターフェース110を使用することによって、充電されるべきデバイスに電力を供給するように電力供給源120を制御し、電力供給モードにおける制御回路140は、充電されるべきデバイスに電力を供給するように電力供給源を制御するようにのみ構成される。
【００２９】
図中の番号150は、制御回路によって制御される被制御構成要素を示し、この被制御構成要素は、電力供給インターフェース110と電力供給源120との間の結合または分離を実装するように構成され、それにより、電力供給源120が外部に電力を供給するかどうかが実装される。
【００３０】
モバイル電力供給端末100は、通例のモバイルデバイス、例えば、スマートフォン、タブレットコンピュータ、ノートブックコンピュータ、電子ブック、パームトップコンピュータ、またはモバイルルータなど、電力供給源を備えたモバイル端末であり得る。電力供給源は、概して、上記の端末中の電気プレートである。
【００３１】
電力供給インターフェース110は、4ピンまたは3ピン電力供給インターフェースなど、任意の通例の電力供給インターフェースであり得、この実施形態ではUSBインターフェースが好ましい。USBインターフェースは、1つのインターフェースが減らされ構造が簡略化されるように、データ伝送機能と電力供給伝送機能の両方を有する。さらに、USBインターフェースの共通性により、多くのモバイル電力供給端末はUSBインターフェースを備え、したがって、モバイル電力供給端末にはほとんど変更が行われない。
【００３２】
電力供給インターフェースを使用することによって、充電されるべきデバイスがモバイル電力供給端末に接続された後に、電力供給インターフェースの、トリガ回路に接続された一方の端部において生成されるレベル信号は、高い電気的レベルまたは低い電気的レベルであり得る。レベル信号が高い電気的レベルであるとき、充電されるべきデバイスまたは充電されるべきデバイスの充電インターフェースには、高い電気的レベルを形成するための電力源がある。レベル信号は、好ましくは低い電気的レベルである。低い電気的レベルは、充電されるべきデバイスの充電インターフェースの接地点に電力供給インターフェースのピンのうちの1つを接続することのみによって形成され得る。特定の実装形態中では、電力供給源にトリガ回路のターンオントリガ端部が接続され、ターンオントリガ端部は、充電されるべきデバイスの接地点に接続されたピンに接続される。したがって、充電されるべきデバイスにモバイル電力供給デバイスが接続された後に、トリガ回路のターンオントリガ端部の電圧はプルダウンされ、それにより、トリガ回路は、動作してトリガ信号を生成するようにトリガされる。
【００３３】
トリガ回路は、論理回路のみによって形成された回路構造であり得るか、または、対応するソフトウェアがトリガ中でさらに動作し得るカプセル化されたトリガであり得る。特に、トリガ回路は、レベル信号を受信した後に、1s、3s、または5s持続するパルスを出力する単一パルストリガであり得、この実施形態では、パルスはトリガ信号と見なされ得る。
【００３４】
モバイル電力供給端末は、少なくとも以下のモードを含む。
第1のモード−始動モード、これにおいて、モバイル電力供給端末は、実装されるべき異なる機能に応じて、異なる機能を実装するハードウェアおよびソフトウェアを異なる機能ユニットに割り当て得る。始動モードでは、モバイル制御端末において複数の機能が使用可能にされる。モバイル電力供給端末がスマートフォンである場合、通信機能ユニットと、ビデオディスプレイユニットと、外部電力供給ユニットとがオンにされ得る。この場合、モバイル電力供給端末自体の電気消費量が大きく、電力供給源によってモバイル電力供給端末に提供される電流も大きい。
第2のモード−停止モード、これにおいて、モバイル端末のすべての機能ユニットはオフにされ、いかなる機能も完了しない。既存のモバイル電力供給端末では、外部充電は停止モードにおいて実施され得ない。外部充電が停止モードにおいて実施される必要がある場合、モバイル充電端末は、最初に、始動モードに入る必要があり、始動モードに入ることは、モバイル端末上に設けられたボタンなどの物理的コントロールを使用することによってトリガされる。始動の後に、複数の機能ユニットがオンにされる。したがって、充電は、停止モードが始動モードに切り替えられた後にのみ実施され得、それにより、充電準備時間が長くなるという問題が生じる。
第3のモード−電力供給モード、これにおいて、モバイル電力供給端末は、電力供給に関係する電力供給機能ユニットのみをオンにする。特に、電力供給モードでは、制御回路140は充電制御ユニットのみをオンにし、次いで、充電制御ユニットは、外部に電力を供給するように電力供給源を制御する。電力供給源と、電力供給インターフェースと、電力供給プロセスに関与する必要があるトリガ回路および制御回路とが、電力供給機能ユニットを形成する。
【００３５】
モバイル電力供給端末の上記の3つのモードに鑑みて、電力供給モードでは、始動モードと比較すると、より少数の機能ユニットがオンにされ、したがって、電気消費量がより小さく、ターンオンのために使用される時間もより短い。停止モードと比較すると、外部充電が実施され得る。この実施形態において提供されるモバイル電力供給端末では、始動モードと停止モードに加えて第3の電力供給モードが実装されるように、トリガ回路および制御回路が導入される。ユーザが外部に電力を供給する必要のみがあるときは、電力供給モードが採用され、エネルギー消費量が低減され得る。さらに、モバイル電力供給端末が現在は停止モードにあり、充電されるべきデバイスが充電される必要がある場合、停止モードは、充電されるべきデバイスの充電インターフェースに電力供給インターフェースを接続することによって電力供給モードに直接切り替えられ得る。モバイル電力供給端末において少数の機能ユニットがオンにされるので、高速な充電が実装され得る。その上、電力供給源は、外部に電力を供給する必要のみがあり、モバイル電力供給デバイス内の機能ユニットに電流を提供する必要がないので、電力供給源内の電流が小さく、それにより、電力供給源の短い寿命および不安定な電流など、過大な熱消費によって生じる問題が効果的に回避される。
【００３６】
実施形態2
図2に示されているように、この実施形態におけるモバイル電力供給端末200は、電力供給源220と、制御回路と、電力供給インターフェース210と、トリガ回路230とを含み、電力供給源220は、電力供給インターフェース210と制御回路とに別々に接続され、
電力供給インターフェース210の一方の端部は、トリガ回路と制御回路とに別々に接続され、他方の端部は、充電されるべきデバイスの充電インターフェースに接続されるように構成され、
充電されるべきデバイスは、電力供給インターフェース210の一方の端部がレベル信号を生成するように、電力供給インターフェース210を使用することによってモバイル電力供給端末200に接続され、トリガ回路230は、レベル信号に従ってトリガ信号を生成し、トリガ信号を制御回路に送り、
制御回路は、トリガ信号に従って、電力供給モードに入るようにモバイル電力供給端末を制御し、電力供給インターフェースを使用することによって、充電されるべきデバイスに電力を供給するように電力供給源を制御し、電力供給モードにおける制御回路は、充電されるべきデバイスに電力を供給するように電力供給源を制御するようにのみ構成される。
【００３７】
制御回路は、コントローラ243と、電力オフなし停止電力源242と、被制御スイッチ241とを含み、
コントローラ243のターンオン信号入力端部2431は電力オフなし停止電力源242に接続され、
被制御スイッチ241の入力端部は電力オフなし停止電力源242に接続され、制御端部はトリガ回路230の出力端部に接続され、出力端部は接地され、
被制御スイッチ241の制御端部がトリガ信号を受信した後に、被制御スイッチ241の入力端部と出力端部とは、コントローラ243のターンオン信号入力端部2431の電気的レベルがプルダウンされるように、互いに伝導され、
コントローラ243は、ターンオン信号入力端部の電気的レベルがプルダウンされた後に、電力供給モードに入るようにモバイル電力供給端末を制御し、電力供給インターフェースを使用することによって、充電されるべきデバイスに電力を供給するように電力供給源を制御するように構成される。
【００３８】
電力オフなし停止電力源は、モバイル電力供給端末が停止されたときに電力供給状態のままであり、小さい定格電圧または電流を概して有する、マイクロ電力源であり、例えば、制御回路中の回路に1.6Vの電圧を提供するマイクロ電力源である。
【００３９】
被制御スイッチは、いくつかの電子的構成要素もしくは一体化されカプセル化された被制御チップによって形成される被制御スイッチ回路であり得るか、または図2に示されたトランジスタであり得るか、または通例のトライオードであり得る。この実施形態では、コントローラ243は、低い電気的レベルを使用することによってトリガされる。特定の実装プロセスでは、高い電気的レベルによってトリガされ、高い電圧耐性性能を有する制御回路またはデバイスも、コントローラとして使用され得る。
【００４０】
コントローラは、PLCプログラマブルコントローラ、DSPデジタルプロセッサ、またはMCUマイクロ制御ユニットであり得るか、あるいは純粋な回路構造であり得る。コントローラがPLC、DSP、またはMCUである場合、コントローラは、プロセッサ、および記憶媒体など、様々な電子的構成要素からなるハードウェアを含み、プロセッサ中でプログラムが動作する。プログラムは記憶媒体に記憶される。記憶媒体は、ROM読取り専用メモリ、RAMランダムアクセスメモリ、およびflashフラッシュメモリなどのメモリを含む。プロセッサ中で動作しているとき、プログラムは、少なくとも以下の機能を完了することができる。
コントローラ243のターンオン信号入力端部の電気的レベルがプルダウンされた後に、電力供給モードに入るようにモバイル電力供給端末を制御するステップ、ならびに、電力供給インターフェースを使用することによって、充電されるべきデバイスに電力を供給するように電力供給源を制御するステップ。
【００４１】
実施形態1に基づいて、この実施形態は制御回路の好ましい構造をさらに提供し、ここで、制御回路の構造は、高速な反応、単純な構造、および容易な製造を特徴とする。
【００４２】
この実施形態のさらなる改善として、電力供給源と電力供給インターフェースとの間にトランスフォーマが配設され、
トランスフォーマのイネーブル端部は、コントローラに接続され、電力供給制御信号を受信し、電力供給源と電力供給インターフェースとの間の経路を形成するために電力供給制御信号に従ってトランスフォーマをオンにするように構成され、電力供給制御信号は、トリガ信号に従ってコントローラによって生成され、トランスフォーマに出力される。
【００４３】
図2では、被制御構成要素250は、この実施形態ではトランスフォーマと見なされる。トランスフォーマのイネーブル端部はコントローラ243に接続される。コントローラ243が電力供給制御信号を出力したとき、トランスフォーマのイネーブル端部の電気的レベルは、トランスフォーマをオンにするための電気的レベルと一致し、トランスフォーマはオンにされ、電力供給源220と、トランスフォーマと、電力供給インターフェース210と、充電されるべきデバイスとの間の電力供給ループがさらに形成される。特定の実装プロセスでは、被制御構成要素250は被制御スイッチでもあり得る。特に、被制御スイッチの構造は、トランジスタ、トライオード、または被制御チップなどの構造であり得る。ただし、この実施形態では、トランスフォーマは出力電圧の電圧値を変更するように構成され得るので、被制御構成要素250は、好ましくはトランスフォーマである。概して、モバイル電力供給端末内の電力供給源によって出力され得る電圧の電圧値は小さく、様々なデバイスによって必要とされる電圧の電圧値を満たしながら高速な充電を実装することは困難である。したがって、トランスフォーマは、出力電圧を変更するように配設される必要がある。この実施形態では、出力電圧のループ中にあるトランスフォーマが、出力電圧の電圧値を変更するように構成され、電力供給源が外部に電力を供給するか否かを実装するようにさらに構成され得ることを利用することによって、1つの構造は2つの機能を実装し、それにより、構造は精巧であり、より少数の構成要素が使用され、ハードウェアコストが低く、ハードウェアサイズが小さく、これは、モバイル電力供給端末の超小形化および一体化を実装するために有益である。
【００４４】
実施形態3
この実施形態は、実施形態1と実施形態2のいずれかにおける技術的解決策のさらなる改善であり、上記の技術的解決策とは差異は、制御回路が、トリガ信号を受信すると、充電制御ユニットをオンにし、ユーザの選択に従って通信制御ユニットをオフにするようにさらに構成されることにある。
【００４５】
制御回路は、複数の制御ユニットに分割され得、対応する制御ユニットは、モバイル電力供給端末中の対応する機能ユニットの状態を制御するように構成される。制御回路は、モバイル電力供給端末中の電力供給ユニットをオンにすべきかどうかを制御するように構成された、充電制御ユニットを少なくとも含み、通信制御ユニットは、モバイル電力供給端末中の通信機能ユニットを制御するように構成される。例えば、モバイル充電端末がスマートフォンであるときは、通信を実装するための通信ユニットが含まれ、通信ユニットを実装するためのモジュールは、信号受信機（例えば、アンテナ）、モデム、デコーダ、エンコーダ、およびスピーカーなどの機能ユニットを含む。この実施形態では、トリガ信号を受信した後に、制御回路は、充電を実施すべきかどうかを制御するために、充電制御ユニットを最初にオンにし、ユーザの選択に従って通信制御ユニットをオフにし、充電されるべきデバイスに電力を供給するとき、電力供給源が通信ユニットの機能ユニットを同時にロードする必要がないように、通信ユニットをさらにオフにする。したがって、電力供給源の電流は小さく、熱消費量は小さく、電力供給源の耐用寿命は長くなり得、電力供給源は、長い時間内に良好な電力供給安定性を維持することができる。
【００４６】
ユーザの選択は、制御回路が外部に電力を供給するように電力供給源を制御する必要があるとき、モバイル充電端末が、通信制御ユニットなどを特に含む充電機能以外の機能ユニットをもオンにすることが検出されることであると見なされ得、モバイル端末は、選択することをユーザに促すための選択ダイアログボックスをポップアップするように制御され、ユーザは、現在の必要に応じて、電力供給機能に関係する機能ユニットを除いて、通信制御ユニットなどをオフにすべきかどうかを選択し得る。モバイル電力供給端末がタブレットコンピュータであるとき、タブレットコンピュータは、データを周辺機器と交換する通信ユニットを同様に含み、電力消費量を低減し電力供給源の耐用寿命を長くする目的を達成するために、この実施形態におけるモバイル電力供給端末を使用することによって外部に電力を同様に供給し得る。
【００４７】
この実施形態におけるモバイル電力供給端末について、始動モードにおけるモバイル端末が、充電されるべきデバイスに電力を供給する必要がある場合をさらに考察する。ユーザは、選択に応じて、モバイル端末を電力供給モードに入らせるか、または現在の必要に応じて、始動モードで充電を実施することを選ぶことができる。したがって、このモバイル電力供給端末は、より適切に設計され、ユーザの要件をより良く満たす。
【００４８】
実施形態4
この実施形態は、実施形態1から実施形態3の実施形態に基づくさらなる改善であり、実施形態1から実施形態3における技術的解決策との差異は、制御回路が、充電されるべきデバイスから充電インターフェースが分離された後に、ユーザによって選択された制御命令または指定された命令に従って、停止モードに入るようにモバイル電力供給端末を制御するようにさらに構成されることにある。
【００４９】
充電されるべきデバイスから充電インターフェースが分離されたとき、それは、充電されるべきデバイスがもはや充電される必要がないかまたは完全に充電されたことを概して示し、モバイル電力供給端末は、ユーザによって実施された選択に従ってまたは組込指定された命令に従って、充電モードから始動モードまたは停止モードに切り替わる必要がある。特に、指定された命令は、充電されるべきデバイスから充電インターフェースが分離された後の指定された持続時間内に、ユーザによって選択された制御命令が受信されないことであり得、その場合、エネルギー節約の目的で、モバイル電力供給端末は停止モードに入るように制御される。指定された持続時間は、5s、10s、または15sなどの持続時間であり得る。指定された命令は、充電モードに入る前に、モバイル電力供給端末によってモバイル電力供給端末のモードに従ってさらに決定され得る。モバイル電力供給端末が、充電モードに入る前に停止モードにある場合、モバイル電力供給端末は再び停止モードに入る。モバイル電力供給端末が、充電モードに入る前に始動モードにある場合、モバイル電力供給端末は再び始動モードに入り、ここで、指定された命令は、状態切替え記録のためのサブ命令と、状態切替え記録のためのサブ命令によって記録された状態切替えに従って制御を実施するための状態制御命令とを含む。したがって、指定された命令は、単一の制御命令、または制御命令セットであり得る。
【００５０】
この実施形態におけるモバイル電力供給端末によって、制御回路は、モバイル電力供給端末が、充電されるべきデバイスを電力供給インターフェースから分離した後の、モバイル電力供給端末の状態を制御し、これにより、不要な電力消費を低減し、それによって電力供給源の待機持続時間を長くする目的が達成される。
【００５１】
実施形態5
図3に示されているように、この実施形態におけるモバイル電力供給端末300は、電力供給源320と、制御回路と、電力供給インターフェース310と、トリガ回路330とを含み、電力供給源320は、電力供給インターフェース310と制御回路とに別々に接続され、
電力供給インターフェース310の一方の端部は、トリガ回路330と制御回路とに別々に接続され、他方の端部は、充電されるべきデバイスの充電インターフェースに接続されるように構成され、電力供給インターフェース310は第1のピン311を含み、充電されるべきデバイスは、電力供給インターフェース310の一方の端部がレベル信号を生成するように、電力供給インターフェース310を使用することによってモバイル電力供給端末300に接続され、トリガ回路330は、レベル信号に従ってトリガ信号を生成し、トリガ信号を制御回路に送り、第1のピン311は、充電されるべきデバイスの充電インターフェースにおける接地点に接続されるように構成され、それにより、充電デバイスの充電インターフェースが電力供給インターフェース310に接続された後に、第1のピン311は、トリガ回路中の、電力供給源320に接続された端部の電気的レベルをプルダウンし、トリガがオンにされ、さらにトリガ信号が出力され、
制御回路は、トランジスタ341と、電力オフなし停止電力源342と、コントローラ343とを含み、
トリガ信号はトランジスタ341のゲートに出力され、それにより、電力オフなし停止電力源342に接続されたドレインと接地ソースとは互いに伝導され、コントローラの、電力オフなし停止電力源342にも接続されたターンオン信号入力端部の電気的レベルはプルダウンされ、トリガは充電制御ユニットをオンにし、電力供給源320に、外部に電力を供給させるように被制御構成要素350を制御するための制御信号が出力され、さらに、コントローラは、トリガ信号に従って、電力供給モードに入るようにモバイル電力供給端末を制御し、電力供給モードにおいて、制御回路は、充電されるべきデバイスに電力を供給するように電力供給源を制御するようにのみ構成される。
【００５２】
従来のデバイスと比較して、この実施形態におけるモバイル電力供給端末は、トリガ回路と、モードを切り替えるようにおよび電力を供給すべきかどうかを制御するようにモバイル電力供給端末を制御する制御回路とを追加される。したがって、停止モードにおいて、対応する充電機能モジュールは、充電されるべきデバイスへの接続を使用することによって高速にオンにされ得、それにより、高速な外部電力供給が実装され、さらに、充電機能に関係しない別の機能モジュールはオンにされず、それにより、電力消費量が低減され、電力供給源の待機時間および耐用寿命が長くなる。
【００５３】
実施形態6
この実施形態は、モバイル電力供給端末の電力供給方法を提供する。図4に示されているように、モバイル電力供給端末の電力供給方法は以下を含む。
【００５４】
ステップS110：モバイル電力供給端末の電力供給インターフェースの一方の端部がレベル信号を生成するように、電力供給インターフェースを使用することによって、モバイル電力供給端末に、充電されるべきデバイスを接続する。
【００５５】
ステップS120：モバイル電力供給端末のトリガ回路が、レベル信号に従ってトリガ信号を生成し、トリガ信号をモバイル電力供給端末の制御回路に送る。
【００５６】
ステップS130：制御回路は、トリガ信号に従って、電力供給モードに入るようにモバイル電力供給端末を制御し、電力供給インターフェースを使用することによって、充電されるべきデバイスに電力を供給するように電力供給源を制御し、電力供給モードにおける制御回路は、充電されるべきデバイスに電力を供給するように電力供給源を制御するようにのみ構成される。
【００５７】
この実施形態におけるモバイル電力供給端末の電力供給方法によって、電力を供給するモバイル電力供給端末は、停止モードおよび始動モード以外の第3のモード、すなわち、充電を実施するための充電モードに切り替えられる。始動モードで充電することと比較して、エネルギー消費量は低く、電力供給源の電流は小さく、したがって、熱消費量は小さく、それにより、電力供給源の耐用寿命を長くするのに役立つ。さらに、モバイル電力供給端末が停止モードにあるとき、モバイル電力供給端末は、この実施形態において推薦される電力供給モードに高速に切り替わることができ、充電準備時間が短い。ユーザは、充電を実装するために始動モードに入るようにモバイル電力供給端末を手動でトリガする必要がなく、それにより、操作の複雑さが低減される。
【００５８】
この実施形態のさらなる説明として、トリガ信号に従って制御回路によって、電力供給モードに入るようにモバイル電力供給端末を制御するステップと、電力供給インターフェースを使用することによって、充電されるべきデバイスに電力を供給するように電力供給源を制御するステップとは、以下を含む。
【００５９】
ステップS131：制御回路の被制御スイッチの入力端部と出力端部とが互いに伝導されるように、被制御スイッチの制御端部にトリガ信号を入力し、被制御スイッチの入力端部は電力オフなし停止電力源に接続され、出力端部は接地される。
【００６０】
ステップS132：電力オフなし停止電力源に接続された制御回路のコントローラのターンオン信号入力端部の電気的レベルをプルダウンする。
【００６１】
ステップS133：ターンオン信号入力端部の電気的レベルがプルダウンされた後に、コントローラは、電力供給モードに入るようにモバイル電力供給端末を制御し、電力供給インターフェースを使用することによって、充電されるべきデバイスに電力を供給するように電力供給源を制御する。
【００６２】
この実施形態では、トリガ信号は、最初に、被制御スイッチと電力オフなし停止電力源とのアクションを通して、トリガリング低電気的レベルに変換され、この電気的レベルはコントローラによって識別され得、次いで、コントローラは、モバイル電力供給端末の後続のモードと、電力を供給すべきかどうかとを制御する。この制御は単純で高速であり、構造は精巧である。
【００６３】
特定の実装プロセスでは、電力供給インターフェースを使用することによって外部に電力を供給するように電力供給源を制御するステップS133のために複数の方法があり、これは、コントローラによって、電力供給源と電力供給インターフェースとの間に接続された被制御トランジスタまたはトライオードなどの被制御構成要素を制御するステップと、電力供給源と電力供給インターフェースとの間に経路が形成されるかどうかを制御するステップとによって特に実装され得る。以下に、より好ましい様式を提供する。
【００６４】
電力供給インターフェースを使用することによって、充電されるべきデバイスに電力を供給するように電力供給源を制御するステップは、
ターンオン信号入力端部の電気的レベルがプルダウンされた後に、コントローラによって、電力供給制御信号を生成するステップと、
電力供給源と電力供給インターフェースとの間に接続されたトランスフォーマのイネーブル端部によって、制御信号を受信するステップと、電力供給源と電力供給インターフェースとの間の経路を形成するために、制御信号に従ってトランスフォーマをオンにするステップと、
トランスフォーマと電力供給インターフェースとを使用することによって、電力供給源によって、充電されるべきデバイスに電力を供給するステップと
を含む。
【００６５】
この実施形態では、電力供給インターフェースと電力供給源との間に接続されたトランスフォーマは、外部に電力を供給すべきかどうかを制御するように、電力供給インターフェースと電力供給源との間の電力供給ループの伝導を実装し続けるために、コントローラによって出力される電力供給制御信号を使用することによって制御され、ここで、トランスフォーマは、電力供給源の出力電圧の電圧値を変更する機能をさらに有し、したがって、この方法は、1つの構造を使用することによって2つの機能を実装する。したがって、この方法を使用することによって、ハードウェア構造が簡略化され得、ハードウェア構造の超小形化および一体化が可能になり、また、電子的構成要素のコストが低減される。
【００６６】
概して、モバイル電力供給端末は、以下の2つの状態モードを有する。一方は始動モードであり、他方は停止モードである。この実施形態におけるモバイル電力供給端末の電力供給方法では、第3のモード、すなわち、上記の2つのモードとは異なる充電モードが提供される。以下に、始動モードから充電モードに切り替わる方法を提供する。
【００６７】
モバイル電力供給端末の電力供給方法は、
トリガ信号を受信すると、制御回路によって、充電制御ユニットをオンにするステップと、ユーザの選択に従って通信制御ユニットをオフにするステップと
をさらに含む。
【００６８】
充電モードでは、充電制御ユニットは、電力供給ユニットの動作を制御するためにオンにされ、電力供給源において電力消費量を低減し、電流および熱の消費量を低減するために、通信に関係するすべての機能ユニットがオフにされるように、通信制御ユニットはオフにされる。特定の実装プロセスでは、制御回路がトリガ信号を受信した後に、モバイル電力供給端末は、始動モードから充電モードに強制的に切り替えられ得る。この実施形態では、通信制御ユニットは、ユーザの選択に従ってオフにされ、それにより、より人間的でより適切なマンマシン対話が実装され、ユーザは、必要に応じてモバイル電力供給端末の状態モードを制御することが可能になる。
【００６９】
さらに、電力供給方法の上記の解決策のいずれかに基づいて、この実施形態におけるモバイル電力供給端末の電力供給方法は、モバイル電力供給端末の電力供給方法において電力供給モードから停止モードおよび始動モードに切り替わるステップをさらに規定し、これは、具体的には以下の通りである。モバイル電力供給端末の電力供給方法は、
モバイル電力供給端末から、充電されるべきデバイスを分離するステップと、
ユーザによって選択された制御命令または指定された命令に従って制御回路によって、停止モードに入るようにモバイル電力供給端末を制御するステップと
をさらに含む。
【００７０】
ユーザによって選択された制御命令は、充電モードから始動モードまたは停止モードにモバイル電力供給端末を切り替えるステップであり得、これは、必要に応じてユーザによって選択され得る。指定された命令は、モバイル電力供給端末内にプリセットされた命令であり得る。電力供給を完了した後に、モバイル電力供給端末は、始動モードまたは停止モードに直接入るか、あるいは再び充電モードに入る。特定の実装プロセスでは、ユーザによって選択された制御命令は、以下のように、指定された命令と組み合わせて使用され得る：ユーザが所定の持続時間内に対応する操作を実施しないとき、指定された命令が効力を発して、始動モードに入るようにモバイル電力供給端末が制御される。停止モードに入ることにより、不要なエネルギー消費が最大限に低減され得る。
【００７１】
要約すれば、この実施形態におけるモバイル電力供給端末の電力供給方法では、停止モードにおいて、モバイル電力供給端末が電力供給の充電モードに高速に入ることができるように、複数の技術的解決策が提供される。エネルギー消費量は、充電モードでは、始動モードと比較すると小さい。したがって、電力供給源の熱消費量は小さく、それにより、電力供給源の待機時間および耐用寿命を長くするのに役立つ。
【００７２】
当業者は、本発明の各態様または各態様の可能な実装様式が、システム、方法、またはコンピュータプログラム製品として具体的に実装され得ることを理解されよう。したがって、本発明の各態様または各態様の可能な実装様式は、ハードウェアのみの実施形態、（ファームウェア、常駐ソフトウェアなどを含む）ソフトウェアのみの実施形態、またはソフトウェアとハードウェアの組合せをもつ実施形態の形態を使用し得、これらは、本明細書では「回路」、「モジュール」、または「システム」と一律に呼ばれる。さらに、本発明の各態様または各態様の可能な実装様式はコンピュータプログラム製品の形態を取り得、ここで、コンピュータプログラム製品は、コンピュータ可読媒体に記憶されたコンピュータ可読プログラムコードを指す。
【００７３】
コンピュータ可読媒体は、コンピュータ可読信号媒体またはコンピュータ可読記憶媒体であり得る。コンピュータ可読記憶媒体は、限定はしないが、ランダムアクセスメモリ（RAM）、読取専用メモリ（ROM）、消去可能プログラマブル読取専用メモリ（EPROMまたはフラッシュメモリ）、光ファイバー、およびコンパクトディスク読取専用メモリ（CD−ROM）など、電子的、磁気、光、電磁、赤外線、または半導電性のシステム、デバイス、または装置、あるいはそれらの任意の適切な組合せを含む。
【００７４】
コンピュータ中のプロセッサは、プロセッサが、フローチャート中の各ステップまたはステップの組合せにおいて指定された機能およびアクションを実施し得るように、コンピュータ可読媒体に記憶されたコンピュータ可読プログラムコードを読み取る。装置は、ブロック図中の各ブロックまたはブロックの組合せにおいて指定された機能およびアクションを実装するように生成される。
【００７５】
すべてのコンピュータ可読プログラムコードがユーザコンピュータ上で実行され得るか、またはいくつかがスタンドアロンソフトウェアパッケージとしてユーザコンピュータ上で実行され得るか、またはいくつかがリモートコンピュータ上で実行されながらいくつかがユーザのコンピュータ上で実行され得るか、またはすべてのコードがリモートコンピュータもしくはサーバ上で実行され得る。また、いくつかの代替の実装解決策では、フローチャート中の各ステップまたはブロック図中の各ブロックにおいて指定された機能は、図示された順序で行われなくてよいことに留意されたい。例えば、関係する機能に依存する、図中の2つの連続するステップまたは2つのブロックは、実際は実質的に同時に実行され得るか、またはこれらのブロックは時々逆順に実行され得る。
【００７６】
明らかに、当業者は、本発明の趣旨および範囲から逸脱することなく本発明に様々な修正および変更を行うことができる。本発明は、以下の特許請求の範囲および等価技術によって定義される保護の範囲内にこれらの修正および変更が入るのであれば、それらの修正および変更を包含するものである。
【符号の説明】
【００７７】
100  モバイル電力供給端末
110  電力供給インターフェース
120  電力供給源
130  トリガ回路
140  制御回路
200  モバイル電力供給端末
210  電力供給インターフェース
220  電力供給源
230  トリガ回路
241  被制御スイッチ
242  停止電力源
243  コントローラ
2431  ターンオン信号入力端部
250  被制御構成要素
300  モバイル電力供給端末
310  電力供給インターフェース
311  ピン
320  電力供給源
330  トリガ回路
341  トランジスタ
342  停止電力源
343  コントローラ
350  被制御構成要素
【図１】
2016521955.tif 000003
【図２】
2016521955.tif 000004
【図３】
2016521955.tif 000005
【図４】
2016521955.tif 000006
【手続補正書】
【提出日】平成27年12月15日(2015.12.15)
【手続補正１】
【補正対象書類名】明細書
【補正対象項目名】０００１
【補正方法】削除
【補正の内容】
【手続補正２】
【補正対象書類名】明細書
【補正対象項目名】００４０
【補正方法】変更
【補正の内容】
【００４０】
コントローラは、PLCプログラマブルコントローラ、DSPデジタルプロセッサ、またはマイクロ制御ユニット（MCU）であり得るか、あるいは純粋な回路構造であり得る。コントローラがPLC、DSP、またはMCUである場合、コントローラは、プロセッサ、および記憶媒体など、様々な電子的構成要素からなるハードウェアを含み、プロセッサ中でプログラムが動作する。プログラムは記憶媒体に記憶される。記憶媒体は、ROM読取り専用メモリ、RAMランダムアクセスメモリ、およびフラッシュメモリなどのメモリを含む。プロセッサ中で動作しているとき、プログラムは、少なくとも以下の機能を完了することができる。
コントローラ243のターンオン信号入力端部の電気的レベルがプルダウンされた後に、電力供給モードに入るようにモバイル電力供給端末を制御するステップ、ならびに、電力供給インターフェースを使用することによって、充電されるべきデバイスに電力を供給するように電力供給源を制御するステップ。
【手続補正３】
【補正対象書類名】明細書
【補正対象項目名】００７６
【補正方法】変更
【補正の内容】
【００７６】
明らかに、当業者は、本発明の範囲から逸脱することなく本発明に様々な修正および変更を行うことができる。本発明は、以下の特許請求の範囲および等価技術によって定義される保護の範囲内にこれらの修正および変更が入るのであれば、それらの修正および変更を包含するものである。
【国際調査報告】
2016521955.tif 000007
2016521955.tif 000008
2016521955.tif 000009
2016521955.tif 000010
2016521955.tif 000011